(57)【特許請求の範囲】
【請求項１】
車両に搭載可能に設計されており、緊急時に緊急通報発信手段の動作により緊急通報システムを管轄するセンターに緊急状態の通報処理を行う緊急通報システム端末機器であって、
この緊急通報システム端末機器は、
前記センターに緊急状態の通報処理を行う緊急通報連絡手段を含む内部回路と、
前記緊急通報システム端末機器の外部に設けたバッテリーと緊急通報システム端末機器の内部に設けた補助バッテリーとからなる電源および前記内部回路を結ぶ電源供給経路と、
前記緊急通報システム端末機器の外部かつ前記電源供給経路の途中に設けた抜き挿し可能なコネクタとを備え、
前記バッテリーの電源電圧の監視、前記バッテリーから前記補助バッテリーへの切り換え、および、前記バッテリーまたは補助バッテリーから前記内部回路に電源電圧を供給する電源制御回路に前記バッテリーおよび補助バッテリーを接続し、前記コネクタは、前記バッテリーおよび補助バッテリーから前記電源制御回路への前記電源供給経路または前記電源制御回路から前記内部回路への前記電源供給経路に設け、
前記コネクタを抜いた場合に、少なくとも前記電源から前記内部回路のうち前記緊急通報連絡手段への電源供給を遮断することを特徴とする緊急通報システム端末機器。
【請求項２】
車両に搭載可能に設計されており、緊急時に緊急通報発信手段の動作により緊急通報システムを管轄するセンターに緊急状態の通報処理を行う緊急通報システム端末機器であって、
この緊急通報システム端末機器は、
前記センターに緊急状態の通報処理を行う緊急通報連絡手段を含む内部回路と、
前記緊急通報システム端末機器の外部に設けたバッテリーと緊急通報システム端末機器の内部に設けた補助バッテリーとからなる電源および前記内部回路を結ぶ電源供給経路と、
前記緊急通報システム端末機器の外部かつ前記電源供給経路の途中に設けた抜き挿し可能な三端子のコネクタと、
前記緊急通報システム端末機器内部の前記電源供給経路上に設け前記コネクタおよび内部回路と接続した電源制御回路とを備え、
前記電源制御回路は、前記バッテリーの電源電圧の監視、前記バッテリーから前記補助バッテリーへの切り換え、および、前記バッテリーまたは補助バッテリーから前記内部回路に電源電圧を供給するものであって、
前記コネクタは、第一の端子で前記バッテリーと前記電源制御回路とを接続し、第二の端子で前記補助バッテリーと接続し、第三の端子で前記第二の端子と前記電源制御回路とを接続し、
前記コネクタを抜いた場合に、少なくとも前記電源から前記内部回路のうち前記緊急通報連絡手段への電源供給を遮断することを特徴とする緊急通報システム端末機器。
【請求項３】
前記電源は、前記車両に搭載されるバッテリーと、前記緊急通報システムの内部に備わる補助バッテリーとを含み、
前記コネクタは、第１及び第２コネクタを含み、
前記第１コネクタは、前記電源制御回路とそれぞれ結線された第１端子及び第２端子と、前記補助バッテリーと接続された第３端子とを有し、
前記第２コネクタは、前記第１コネクタに対し、抜き挿し可能に構成されており、前記第１コネクタの第１端子に前記バッテリーを接続可能で、前記第１コネクタの第２端子及び第３端子を接続可能に構成される、請求項１に記載の緊急通報システム端末機器。
【請求項４】
前記センターのシステムとの通話状態が固定され終話動作が実行できなくなった場合に、終話動作実行不可の表示を行う表示手段をさらに備える、請求項１に記載の緊急通報システム端末機器。
【請求項５】
前記コネクタは保護カバーで覆われている、請求項１に記載の緊急通報システム端末機器。
【発明の詳細な説明】
【０００１】
【発明の属する技術分野】
本発明は、車両に搭載されて、交通事故や急病等の緊急時に警察や消防署あるいは緊急通報センターなど緊急通報システムを管轄するセンターに、現在の車両の位置情報、登録車両などのデータや緊急事態の状況を送受信する機能を有する緊急通報システム端末機器とそれを用いた緊急通報システムに関する。
【０００２】
【従来の技術】
従来、自動車などの車両に搭載されて、警察や消防署あるいは緊急通報センターなどの緊急通報システムを管轄するセンター（以下、緊急通報センターと呼ぶ）に通信事業者の基地局などを経由して電話発信処理を行う緊急通報連絡手段を備えた緊急通報システム端末機器が知られている。
【０００３】
従来の緊急通報システム端末機器は、例えば特開平１０−３２６５０号公報には移動通信用電話機にスイッチを介して電源が接続されており、電話を使用する場合にはこのスイッチをオンして通話を行うが、緊急通報を行った場合には緊急通報連絡先からの遮断可能の信号を受信した後に、利用者が遮断できるようにした移動体通信用電話機が開示されている。
【０００４】
【発明が解決しようとする課題】
従来の緊急通報システム端末機器では、交通事故や急病時等の緊急時に緊急通報連絡を行った後に手動でオフすることや、緊急通報連絡先との確実な通話を行うために緊急通報連絡先からの電源遮断を許容する信号を受信しない限り電源をオフできないようにすることが行われていた。また、自動的に緊急通報処理を開始し、電話発信や緊急通報センター着信後のデータ通信や音声通話を行い、必要な通信や通話が完了すると、自動的に終話を行う処理を行っていた。このようなシステムの場合に、緊急通話状態で緊急通報システム端末機器もしくは緊急通報センターのシステムに故障が生じると、通話状態のまま無線回線を占有し続けた状態となり、終話を行うことができなくなる。
【０００５】
本発明は上記問題点を解決して、緊急通報システム端末機器に電源を強制的に遮断する機能を設けることにより、緊急通報システム端末機器もしくは緊急通報センターのシステムの故障等により通話状態が固定されて終話動作が実行できなくなった場合でも、電源を遮断し通話回線を切断することで、無線回線を占有し続けることを防止する緊急通報システム端末機器と緊急通報システムを提供するものである。
【０００６】
【課題を解決するための手段】
上記課題を解決するために、本発明は、車両に搭載可能に設計されており、緊急時に緊急通報発信手段の動作により緊急通報システムを管轄するセンターに緊急状態の通報処理を行う緊急通報システム端末機器であって、この緊急通報システム端末機器は、センターに緊急状態の通報処理を行う緊急通報連絡手段を含む内部回路と、緊急通報システム端末機器の外部に設けたバッテリーと緊急通報システム端末機器の内部に設けた補助バッテリーとからなる電源および内部回路を結ぶ電源供給経路と、緊急通報システム端末機器の外部かつ電源供給経路の途中に設けた抜き挿し可能なコネクタと、緊急通報システム端末機器の内部の電源供給経路上に設け電源と接続した電源制御回路とを備え、電源制御回路は、バッテリーの電源電圧の監視、バッテリーから補助バッテリーへの切り換え、および、バッテリーまたは補助バッテリーから内部回路に電源電圧を供給するものであって、コネクタは、バッテリーおよび補助バッテリーから電源制御回路への電源供給経路または電源制御回路から内部回路への電源供給経路に設け、コネクタを抜いた場合に、少なくとも電源から内部回路のうち緊急通報連絡手段への電源供給を遮断することを特徴とする。また、本発明の他の局面は、車両に搭載可能に設計されており、緊急時に緊急通報発信手段の動作により緊急通報システムを管轄するセンターに緊急状態の通報処理を行う緊急通報システム端末機器であって、この緊急通報システム端末機器は、センターに緊急状態の通報処理を行う緊急通報連絡手段を含む内部回路と、緊急通報システム端末機器の外部に設けたバッテリーと緊急通報システム端末機器の内部に設けた補助バッテリーとからなる電源および内部回路を結ぶ電源供給経路と、緊急通報システム端末機器の外部かつ電源供給経路の途中に設けた抜き挿し可能な三端子のコネクタと、緊急通報システム端末機器内部の電源供給経路上に設けコネクタおよび内部回路と接続した電源制御回路とを備え、電源制御回路は、バッテリーの電源電圧の監視、バッテリーから補助バッテリーへの切り換え、および、バッテリーまたは補助バッテリーから内部回路に電源電圧を供給するものであって、コネクタは、第一の端子でバッテリーと電源制御回路とを接続し、第二の端子で補助バッテリーと接続し、第三の端子で第二の端子と電源制御回路とを接続し、コネクタを抜いた場合に、少なくとも前記電源から前記内部回路のうち前記緊急通報連絡手段への電源供給を遮断することを特徴とする。
【０００７】
【発明の実施の形態】
以下、本発明の実施の形態について、図面を用いて詳細に説明する。
【０００８】
（第１の実施の形態）
図１は、本発明の第１の実施の形態の緊急通報システム端末機器の構成を示すブロック図である。緊急通報システム端末機器１は自動車などの車両に搭載されて、交通事故や急病などの緊急時に緊急通報センターに現在の車両の位置情報や登録車両などのデータを送信して、緊急車両出動要請を行う装置である。通信アンテナ２は緊急通報連絡手段１１からの発信信号を通信事業者の基地局に発信するとともに、通信事業者からの受信信号を緊急通報連絡手段１１に出力する処理を行うアンテナである。緊急通報発信釦３は緊急通報発信手段であり、利用者が交通事故や急病時などの緊急時に押下し、緊急通報発信処理を開始するための信号を生成する釦である。ＧＰＳアンテナ４はＧＰＳ衛星からのデータを受信するアンテナである。
【０００９】
メインバッテリー５は車両の電装機器に電源を供給するとともに、緊急通報システム端末機器１に電源供給を行うバッテリーである。マイク６は緊急通報連絡処理の音声通話連絡時に、利用者の音声を緊急通報システム端末機器１に出力する処理を行うマイクおよび増幅回路などを内蔵したマイクモジュールである。スピーカ７は前記音声通話連絡時に、緊急通報センターからの受信音声信号を鳴音するためのスピーカである。
【００１０】
次に、緊急通報システム端末機器１の内部構成について説明する。緊急通報連絡手段１１は制御部１２からの発信要求信号に対し、制御部１２から入力した電話番号により通信事業者の基地局などを経由して、その電話番号に該当する通話相手に電話発信処理を開始する。さらに、通話相手からの発信応答もしくは通話中信号などの通話中に移行する信号を受信した場合、音声通話制御もしくはデータ通信制御に移行するとともに、通話中に移行したことを知らせる信号を制御部１２に出力する。また、制御部１２から入力した車両の進行方向や向きなどの情報および位置情報などのデータを通信事業者の基地局などを経由して、その電話番号に該当する通話相手である緊急通報センターに発信する処理を行う。
【００１１】
制御部１２は位置情報取得処理部１４より取得した位置情報などのデータや緊急通報連絡処理の履歴データおよび緊急通報システム端末機器１に異常を発生した場合の異常履歴データを記憶部１５に記録する制御を行う。さらに、緊急通報発信釦３等の緊急通報発信手段からの操作信号などにより緊急通報連絡要求があったことを認識し、位置情報取得処理部１４より入手し記憶部１５に記録した位置情報などのデータを入力する。また、記憶部１５から緊急通報センターの電話番号を取得し、その電話番号を用いて緊急通報連絡手段１１に電話の発信要求を行う。さらに、緊急通報連絡手段１１から、その電話番号に該当する通話相手からの応答信号もしくは通話中信号などの通話中に移行する信号を受信した場合、通話状態に移行したことを認識する。また、位置情報取得処理部１４から入手した位置情報履歴データを通信事業者の基地局などを経由して当該電話番号に対応する通話相手である緊急通報センターに発信するための信号を緊急通報連絡手段１１に出力する処理を行う。
【００１２】
ジャイロセンサ１３は車両の進行方向や向きなどの情報を生成する手段である。位置情報取得処理部１４は制御部１２に対し、ジャイロセンサ１３からのデータおよびＧＰＳ受信機１６がＧＰＳアンテナ４から受信したデータなどにより生成した位置情報などのデータを出力する手段である。
【００１３】
記憶部１５は、緊急通報センターの電話番号および緊急通報システム端末機器１を搭載する車両の登録番号や位置情報取得処理部１４で生成した位置情報などの情報を記録するメモリであり、制御部１２からの要求信号により記録したデータを出力する処理も行う。ＧＰＳ受信機１６はＧＰＳアンテナ４から入手したデータにより、位置情報などのデータを位置情報取得処理部１４に出力する処理を行う装置である。ハンズフリー装置１７は緊急通報連絡処理時のハンズフリー音声通話を実現するために、信号処理およびレベル調整機能により音声通話時に、利用者からの送信音声信号およびセンターからの受信音声信号の音声信号に対してエコーキャンセル処理やハウリング制御処理を行う信号処理装置である。
【００１４】
電源制御回路１８は、メインバッテリー５からの電源により、緊急通報システム端末機器１の内部回路へ電源を供給するとともに、メインバッテリー５からの電源供給が途絶えた場合や所定の電源電圧値以下となった場合に、補助バッテリー１９からの電源に切り替え、緊急通報システム端末機器１の内部回路への電源供給を継続する制御を行う電源制御回路である。補助バッテリー１９は緊急通報システム端末機器１に内蔵され、メインバッテリー５からの電源供給が途絶えた場合や所定の電源電圧以下になった場合に、メインバッテリー５の代わりに緊急通報システム端末機器１に電源供給を行うバッテリーである。
【００１５】
電源スイッチ２０は電源制御回路１８から、緊急通報システム端末機器１の内部回路に電源を供給する電源供給経路に設けたスイッチであり、利用者の操作により緊急通報システム端末機器１への電源供給を強制的に遮断する処理を行う。また、保護カバー２１は電源スイッチ２０を覆うように設けられたカバーで、機器の故障や異常発生で電源スイッチ２０を操作する必要がある時に、利用者が取り外すことが可能な構成を有している。
【００１６】
上記のように構成された本発明の第１の実施の形態における緊急通報システム端末機器１の動作を説明する。電源制御回路１８はメインバッテリー５からの電源供給により、緊急通報システム端末機器１の内部回路に供給する電源を生成する。なお、ここで緊急通報システム端末機器１の内部回路とは、緊急通報システム端末機器を構成する回路であり、例えば緊急通報連絡手段１１、制御部１２、ＧＰＳ受信機１６やハンズフリー装置１７等の回路や装置をいう。さらに電源スイッチ２０は通常時には保護カバー２１に覆われてオン状態を保持しており、電源制御回路１８からの供給電源を緊急通報システム端末機器１の内部回路に供給する。この電源供給により、緊急通報システム端末機器１は動作を行うことができる。この状態において、緊急通報連絡処理時以外の通常時には、位置情報取得処理部１４はジャイロセンサ１３からのデータやＧＰＳ受信機１６がＧＰＳアンテナ４から受信したデータなどにより位置情報データを生成する。また、制御部１２は位置情報取得処理部１４より定期的に位置情報などのデータを取得し、記憶部１５に記録する処理を行う。
【００１７】
このような状態の中で、交通事故や急病などの緊急事態が発生した場合、利用者は緊急通報発信手段の一つである緊急通報発信釦３を押下する。緊急通報発信釦３は利用者の押下により、押下されたことを示す信号を制御部１２に出力する。制御部１２は緊急通報発信釦３からの操作信号により、緊急通報発信要求があったことを認識し、緊急通報連絡処理を開始する。さらに、記憶部１５から蓄積した位置情報などのデータおよび緊急通報センターの電話番号を取得するとともに、その電話番号を用いて緊急通報連絡手段１１に電話の発信要求を行う。緊急通報連絡手段１１は通信アンテナ２を用いて、通信事業者の基地局などを経由して、その電話番号に該当する通話相手に電話発信処理を開始する。緊急通報連絡手段１１は通話相手からの発信応答もしくは通話中信号などの通話中に移行する信号を受信した場合、通話状態に移行したと認識し、音声通話制御もしくはデータ通信制御に移行するとともに、通話中に移行したことを知らせる信号を制御部１２に出力する。制御部１２は通話に成功したと判断し、前記記憶部１５から取得した位置情報などのデータを通信事業者の基地局などを経由して当該電話番号に対応する通話相手である緊急通報センターに位置データなどを送信する処理を行う。緊急通報センターは、緊急通報システム端末機器１からの位置情報データを全て受信した場合、音声通話に切替える処理を行う。
【００１８】
緊急通報連絡手段１１は音声通話に移行したことを示す信号を受信した場合、その移行したことを示す信号を制御部１２に出力する。制御部１２は音声通話に移行したことを示す信号を受信した場合、緊急通報連絡手段１１とハンズフリー装置１７の音声経路を接続する制御を行い、音声通話連絡処理に移行する。音声通話連絡処理時、緊急通報連絡手段１１は緊急通報センターからの受信音声信号をハンズフリー装置１７に出力する。ハンズフリー装置１７は内部信号処理回路を用いて、受信音声信号より音声レベルおよび周波数特性などを取得し、受信音声信号の音声レベルを上げるなどの処理を行い、スピーカ７に出力する。
【００１９】
スピーカ７はハンズフリー装置１７から入力した受信音声信号を鳴音する処理を行い、利用者に伝達する。マイク６は利用者からの音声信号およびスピーカ７から鳴音された受信音声信号を取得し、ハンズフリー装置１７に出力する。ハンズフリー装置１７は受信音声信号から取得した音声レベルおよび周波数特性が同様の信号成分を有する送信信号が入力された場合、マイク６により入力した受信音声信号のエコー成分と判断し、エコー成分を除去する処理を行い、緊急通報連絡手段１１に出力する。緊急通報連絡手段１１はハンズフリー装置１７からの送信音声信号を受信し、緊急通報センターに送信する処理を行うことで、緊急通報連絡処理が実行される。
【００２０】
上記のような緊急通報連絡処理が実行されている途中において、緊急通報システム端末機器１の動作異常や電波状態の異常発生あるいは緊急通報センターのシステムの故障などにより通話状態が固定されてしまい、終話動作を行うことが不可能になった場合、利用者は保護カバー２１を取り外し、電源スイッチ２０のオフ操作を行うことにより、強制的に通話状態を終えることができる。電源スイッチ２０のオフ操作により、電源制御回路１８から緊急通報システム端末機器１の内部回路への電源供給を遮断するので、制御部１２および緊急通報連絡手段１１などを含めて全ての内部回路の電源供給が遮断され、無線回線を開放する。
【００２１】
以上のように、電源制御回路１８からの電源供給経路に電源スイッチ２０を設けることにより、緊急通報システム端末機器１の動作異常などにより通話状態が継続されたままとなり終話を行うことが不可能になったような非常時でも、前記電源スイッチ２０をオフすることによって強制的に電源供給を遮断し、終話することが可能になる。
【００２２】
なお、本実施の形態では電源遮断のための電源スイッチは、緊急通報システム端末機器の外部に設けたが、設置場所には限定されず緊急通報システム端末機器部でも、また車両部でもよい。さらに、本実施の形態では不注意やいたずら等により電源スイッチを操作されることを防止するために保護カバーを設けたが、本発明はこれに限定されるものではなく、不注意な操作がされない安全な場所にもうければ特に保護カバーは必要ない。また、本実施の形態ではスイッチのオフ動作により、緊急通報システム端末機器内の全ての内部回路の電源供給が遮断されるようにしたが、本発明はこれに限定されるものではなく、通話状態が維持されたまま終話できない状態を終了させることができる内部回路部分、例えば緊急通報連絡手段１１のみ、または緊急通報連絡手段１１と制御部１２の両方の電源供給部分を遮断する構成としてもよい。
【００２３】
また、本実施の形態では、補助バッテリーは緊急通報システム端末機器内に設けたが、緊急通報システム端末機器に具備して設けられておれば内部には限定されず、外部に設けてもよい。
【００２４】
（第２の実施の形態）
図２は、本発明の第２の実施の形態における緊急通報システム端末機器の内部構成のうち、電源制御回路から緊急通報システム端末機器の内部回路を結ぶ電源経路部分のブロック図である。緊急通報システム端末機器１は、図１記載と同様の緊急通報システム端末機器であり、上述したように電源経路部のみ記載している。電源制御回路１８は、図１記載と同様の電源制御回路である。コネクタ２２は、凹型コネクタ２２ａと凸型コネクタ２２ｂからなり、凹型コネクタ２２ａは電源制御回路１８からの電源供給側と緊急通報システム端末機器１の内部回路に電源を供給する電源消費側に端子を設けたコネクタであり、凸型コネクタ２２ｂの挿入あるいは引き抜きにより、電源供給側と電源消費側の接続または遮断を可能とする。
【００２５】
上記のような本実施の形態の装置構成について、以下その動作を説明する。緊急通報連絡処理時および通常時には、図２（ａ）に示すように凸型コネクタ２２ｂは凹型コネクタ２２ａに挿入されており、電源制御回路１８からの供給電源を緊急通報システム端末機器１の内部回路に供給する。この電源供給により本発明の第１の実施の形態で説明したように、通常時の動作と交通事故や急病等の緊急事態が発生した場合の緊急時の動作が行われる。
【００２６】
緊急通報連絡処理が実行されている途中において、緊急通報システム端末機器１の動作異常や電波状態の異常発生あるいは緊急通報センターのシステムの故障などにより通話状態が固定されてしまい、終話動作を行うことが不可能になった場合、利用者は凸型コネクタ２２ｂを凹型コネクタ２２ａから引き抜くことで、電源制御回路１８からの電源供給を遮断して強制的に通話状態を終えることができる。このように、凸型コネクタ２２ｂを引きぬく動作により、電源制御回路１８から緊急通報システム端末機器１の内部回路への電源供給を遮断するので、制御部１２および緊急通報連絡手段１１などを含めて全ての内部回路の電源供給が遮断され、無線回線を開放する。
【００２７】
以上のように、電源制御回路１８からの電源供給経路にコネクタを設け、凸型コネクタ２２ｂを引き抜く動作により遮断することで、電源の遮断が確実で、かつ、緊急時以外に誤って引き抜かれたり、あるいは振動や衝撃で外れることもなく、必要な時にのみ確実な動作をさせることができる。
【００２８】
なお、本実施の形態では２端子のコネクタを用いたが、本発明はこれに限定されるものではなく、電源制御回路側と緊急通報システム端末機の内部回路側との接続および遮断を行う機能を有しておれば良く、コネクタの構成や構造には特に限定されない。またコネクタの設置場所は、緊急通報システム端末機器部分には限定されなく、車両部でもよい。さらに、本実施の形態ではコネクタには保護カバーを設けない構成としたが、保護カバーを設けることも可能である。また、本実施の形態ではコネクタの引き抜きにより、緊急通報システム端末機器内の全ての内部回路の電源供給が遮断されるようにしたが、本発明はこれに限定されるものではなく、通話状態が維持されたまま終話できない状態を終了させることができる内部回路部分、例えば緊急通報連絡手段１１のみ、または緊急通報連絡手段１１と制御部１２の両方の電源供給部分を遮断する構成としてもよい。
【００２９】
（第３の実施の形態）
図３は、本発明の第３の実施の形態における緊急通報システム端末機器の内部構成のうち、電源制御回路から緊急通報システム端末機器の内部回路を結ぶ電源経路部分のブロック図である。緊急通報システム端末機器１は、図１記載と同様の緊急通報システム端末機器であり、上述したように電源経路部のみ記載している。電源制御回路１８は、図１記載と同様の電源制御回路である。トランジスタ２３は、電源制御回路１８から緊急通報システム端末機器１の内部回路への電源供給または遮断を行うトランジスタである。抵抗器２４は、トランジスタ２３のベースに過大電流が流れて、トランジスタが破壊することを防止するために設けられた抵抗器である。スイッチ２５は利用者が操作して、トランジスタ２３のベースと接地間を接続または遮断することにより、トランジスタのエミッタとコレクタ間の電流を制御するスイッチである。
【００３０】
上記のような本実施の形態の装置構成について、以下その動作を説明する。緊急通報連絡処理時および通常時には、スイッチ２５はオンになっており、抵抗器２４を介してトランジスタ２３のベース端子が接地され、この結果トランジスタ２３のエミッタ端子からコレクタ端子に電流を流すことが可能になり、電源制御回路１８から緊急通報システム端末機器１の内部回路に電源が供給される。この電源供給により本発明の第１の実施の形態で説明したように、通常時の動作と交通事故や急病等の緊急事態が発生した場合の緊急通報時の動作が行われる。
【００３１】
緊急通報連絡処理が実行されている途中において、緊急通報システム端末機器１の動作異常や電波状態の異常発生あるいは緊急通報センターのシステムの故障などにより通話状態が継続したままとなり終話を行うことが不可能になった場合、利用者はスイッチ２５をオフにする。前記スイッチ２５のオフによりトランジスタ２３のベース端子が開放状態になり、エミッタ端子からコレクタ端子への電流が流れなくなる。この結果、電源制御回路１８から緊急通報システム端末機器１の内部回路への電源供給が遮断されるので、制御部１２および緊急通報連絡手段１１などを含めて全ての内部回路の電源供給が遮断され、無線回線を開放する。
【００３２】
以上のように、電源制御回路１８からの電源供給経路にトランジスタを設け、このトランジスタをスイッチで動作させる方式を用いると、スイッチ回路部は小電流動作が可能となり、スイッチ回路部やそのための配線の構成を簡略化できる。
【００３３】
なお、本実施の形態では電源遮断のためのスイッチは緊急通報システム端末機器の外部に設けたが、設置場所には限定されず緊急通報システム端末機器部分で手動で操作できる場所でもよい。さらに、本実施の形態ではコネクタには保護カバーを設けない構成としたが、保護カバーを設けることも可能である。また、本実施の形態ではスイッチオフでトランジスタをオフ動作させて、緊急通報システム端末機器内の全ての内部回路の電源供給が遮断されるようにしたが、本発明はこれに限定されるものではなく、通話状態が維持されたままで終話できない状態を終了させることができる内部回路部分、例えば緊急通報連絡手段１１のみ、または緊急通報連絡手段１１と制御部１２の両方の電源供給部分を遮断する構成としてもよい。
【００３４】
(第４の実施の形態)
図４は、本発明の第４の実施の形態における緊急通報システム端末機器の内部構成のうち、電源制御回路から緊急通報システム端末機器の内部回路を結ぶ電源経路部分のブロック図である。緊急通報システム端末機器１は、図１記載と同様の緊急通報システム端末機器であり、上述したように電源経路部のみ記載している。メインバッテリー５、電源制御回路１８および補助バッテリー１９は、図１記載と同様のメインバッテリー、電源制御回路および補助バッテリーである。コネクタ２６は挿入型の３端子の凹型コネクタ２６ａと凸型コネクタ２６ｂからなり、凹型コネクタ２６ａはメインバッテリー５から電源制御回路１８とを結ぶ経路、補助バッテリー１９からコネクタ２６を結び、コネクタ２６から電源制御回路１８を結ぶ経路を、凸型コネクタ２６ｂを挿入または引き抜きすることにより接続または遮断するように構成されている。
【００３５】
上記のような本実施の形態の装置構成について、以下その動作を説明する。緊急通報連絡処理時および通常時には、図４に示すように凸型コネクタ２６ｂは凹型コネクタ２６ａに挿入されており、電源制御回路１８からの供給電源を緊急通報システム端末機器１の内部回路に供給する。この電源供給により本発明の第１の実施の形態で説明したように、通常時の動作と交通事故や急病等の緊急事態が発生した場合の緊急時の動作が行われる。
【００３６】
緊急通報連絡処理が実行されている途中において、緊急通報システム端末機器１の動作異常や電波状態の異常発生あるいは緊急通報センターのシステムの故障などにより通話状態が固定されてしまい、終話動作を行うことが不可能になった場合、利用者は凸型コネクタ２６ｂを凹型コネクタ２６ａから引き抜くことで、電源制御回路１８への電源供給を遮断して強制的に通話状態を終えることができる。このように、凸型コネクタ２６ｂを引きぬく動作により、電源制御回路１８への電源供給を遮断するので、制御部１２および緊急通報連絡手段１１などを含めて全ての内部回路の電源供給が遮断され、無線回線を開放する。
【００３７】
以上のように、メインバッテリー５と補助バッテリー１９から電源制御回路１８への電源供給経路にコネクタを設け、凸型コネクタ２６ｂを引き抜く動作により遮断することで、電源の遮断が確実で、かつ、緊急時以外に誤って引き抜かれたり、あるいは振動や衝撃で外れることもなく、必要な時にのみ確実な動作をさせることができる。また、本実施の形態のコネクタ構成では、メインバッテリー５と補助バッテリー１９からの配線処理が簡単であるので、コネクタを緊急時にすばやく操作でき、かつ通常はあまり触れない個所を自由に選択することができる。さらに本実施の形態では、コネクタには保護カバーを設けない構成としたが、保護カバーを設けることも可能である。
【００３８】
また、本実施の形態ではコネクタの引き抜きにより、緊急通報システム端末機器内の全ての内部回路の電源供給が遮断されるようにしたが、本発明はこれに限定されるものではなく、通話状態が維持されたまま終話できない状態を終了させることができる内部回路部分、例えば緊急通報連絡手段１１のみ、または緊急通報連絡手段１１と制御部１２の両方の電源供給部分を遮断する構成としてもよい。
【００３９】
また、本発明は緊急通報システム端末機器あるいは緊急通報センターの故障等による異常時に電源を遮断する機能を設けたものであるが、緊急通報システム端末機器が動作中にやむなく動作を中止させたい場合が発生した時でも本発明の遮断機能を用いることで、その目的が達成されることはいうまでもない。
【００４０】
なお、本実施の形態では緊急通報連絡処理時に通話状態が固定されてしまい、終話動作が実行できなくなったことは利用者が判断して電源遮断を行う装置構成について説明したが、終話動作が実行できなくなった場合に表示装置に表示したり、ランプの点灯あるいは点滅により異常を表示する手段を設けて利用者に知らせることも可能である。
【００４１】
また、本実施の形態では緊急通報連絡処理時に通話状態が固定されてしまい、終話動作が実行できなくなった時に、３端子構成のコネクタを引き抜くことで電源遮断を行う装置構成について説明したが、本発明では、さらに電源遮断手段が挿入型のコネクタであり、このコネクタの端子構成として、車両の電装機器に電源を供給する車両搭載のバッテリーおよび緊急通報システム端末機器に具備した補助バッテリーから前記コネクタを介して電源制御回路へ出力する経路を接続する端子と、前記緊急通報システム端末機器の外部に設けた機器と前記緊急通報システム端末機器の前記外部に設けた機器と対応する機器とを接続する端子とを備え、電源遮断はコネクタの一方の引き抜きにより行われる構成としてもよい。
【００４２】
【発明の効果】
以上のことから明らかなように、本発明によれば、緊急通報システム端末機器の内部回路と電源を供給するバッテリーを結ぶ電源供給経路に電源を遮断する電源遮断手段を設けることにより、緊急通報システム端末機器もしくは緊急通報センターのシステムなどが故障や事故で正常な終話が不可能となった時に電源を遮断して通話回線を切断し、無線回線を占有することを防止することが可能になる。
【００４３】
また、電源遮断手段として３端子のコネクタを設けることで、車両に搭載したバッテリーおよび緊急通報システム端末機器に具備した補助バッテリーの両方の電源を確実に遮断するとともに、緊急非常時以外には誤ってオフし難い電源遮断手段とすることができる。またさらに、電源遮断手段を覆う保護カバーを設けることで、緊急非常時以外に不注意やいたずらで操作し難くして、緊急通報システム端末機器およびそのシステムとしての信頼性を向上できる。
【００４４】
さらに、電源遮断手段として挿入型のコネクタを用い、車両に搭載したバッテリーと補助バッテリーとの電源制御回路との接続、および外部に設けた機器と緊急通報システム端末機器内部の機器の接続を行う端子構成とすることで、電源を確実に遮断するとともに、緊急非常時以外には誤ってオフし難い電源遮断手段とすることができるだけでなく、外部に設けた機器を緊急通報システム端末機器と接続するためのコネクタと共用することで、電源遮断のみでなく外部に設けた機器からの信号も遮断できるので、より確実な遮断効果が得られる。
【図面の簡単な説明】
【図１】  本発明の第１の実施の形態における緊急通報システム端末機器の構成を示すブロック図
【図２】  本発明の第２の実施の形態における緊急通報システム端末機器の内部構成の電源制御回路と内部回路との電源経路部のブロック図
【図３】  本発明の第３の実施の形態における緊急通報システム端末機器の内部構成の電源制御回路と内部回路との電源経路部のブロック図
【図４】  本発明の第４の実施の形態における緊急通報システム端末機器の内部構成の電源制御回路と内部回路との電源経路部のブロック図
【符号の説明】
１  緊急通報システム端末機器
２  通信アンテナ
３  緊急通報発信釦
４  ＧＰＳアンテナ
５  メインバッテリー
６  マイク
７  スピーカ
１１  緊急通報連絡手段
１２  制御部
１３  ジャイロセンサ
１４  位置情報取得処理部
１５  記憶部
１６  ＧＰＳ受信機
１７  ハンズフリー制御装置
１８  電源制御回路
１９  補助バッテリー
２０  電源スイッチ
２１  保護カバー
２２  コネクタ
２２ａ  凹型コネクタ
２２ｂ  凸型コネクタ
２３  トランジスタ
２４  抵抗器
２５  スイッチ
２６  コネクタ
２６ａ  凹型コネクタ
２６ｂ  凸型コネクタ
【図１】
0004310903.tif 000002
【図２】
0004310903.tif 000003
【図３】
0004310903.tif 000004
【図４】
0004310903.tif 000005